(57)【要約】【課題】開閉式文字板の視認性が向上したからくり時計を提供する。【解決手段】本実施例に係るからくり時計は、第１固定片３０ａ〜３０ｃと、第２固定片４０と、開位置及び閉位置間を往復動する可動片５０ａ〜５０ｃと、を含む開閉式文字板を備え、可動片５０ａ〜５０ｃは、第１固定片３０ａ〜３０ｃと、第２固定片４０とに当接して閉位置に位置付けられる。この構成により、閉位置において可動片５０ａ〜５０ｃは、第１固定片３０ａ〜３０ｃと、第２固定片４０とに当接するので、閉位置における可動片５０ａ〜５０ｃの位置精度を容易に出すことができる。従って、開閉式文字板の視認性が向上する。【選択図】図２
2008249643.tif 000002
【特許請求の範囲】
【請求項１】
固定片と、開位置及び閉位置間を往復動する可動片と、を含む開閉式文字板を備え、
前記可動片は、前記固定片と当接して前記閉位置に位置付けられる、ことを特徴とするからくり時計。
【請求項２】
前記可動片は、前記固定片の周囲に配置された複数の可動片を含み、
前記固定片は、前記閉位置における前記複数の可動片同士を隔てるように形成されている、ことを特徴とする請求項１に記載のからくり時計。
【請求項３】
前記可動片は、前記固定片との当接によるくさび作用により前記閉位置に維持される、ことを特徴とする請求項１又は２に記載のからくり時計。
【請求項４】
前記閉位置において対向する前記可動片及び固定片のそれぞれの縁部は、前記くさび作用を前記可動片に及ぼすべく一部分で当接し、前記くさび作用が強くなりすぎることを防止すべく他の部分で離間するように形成されている、ことを特徴とする請求項３に記載のからくり時計。
【請求項５】
前記固定片は、所定位置から放射状に伸びた複数の枝部を含み、
前記可動片は、隣接する２つの前記枝部の間へと挿入されるようにして前記開位置から閉位置へと位置付けられる、ことを特徴とする請求項３又は４に記載のからくり時計。
【発明の詳細な説明】
【技術分野】
【０００１】
本発明は、からくり時計に関する。
【背景技術】
【０００２】
従来から、時計の文字板を複数の可動片により構成し、例えば正時になると、この可動片が移動して、その背後に収納されている装飾体が露出されるようなからくり時計が知られている。
例えば特許文献１開示されているからくり時計は、文字板が分割され、各可動片が移動して開くことにより装飾体を露出させ、閉じる際には各可動片が互いに当接する。
【０００３】
【特許文献１】特願２００６−１５２５６６号
【発明の開示】
【発明が解決しようとする課題】
【０００４】
しかし、上記からくり時計では、可動片が互いに当接して閉状態を形成するため、各部品の製造精度のばらつきや、可動片を駆動するための伝達歯車のバックラッシュによるガタつきにより、可動片同士が当接するタイミングにずれが生じる恐れがあった。このように互いに当接するタイミングがずれると、可動片が閉じた状態での位置精度を維持することができず、文字板への視認性に影響を与える恐れがある。
【０００５】
そこで、本発明は、開閉式文字板の視認性が向上したからくり時計を提供することを目的とする。
【課題を解決するための手段】
【０００６】
上記目的は、固定片と、開位置及び閉位置間を往復動する可動片と、を含む開閉式文字板を備え、前記可動片は、前記固定片と当接して前記閉位置に位置付けられる、ことを特徴とするからくり時計によって達成できる。
この構成により、閉位置において可動片は固定片に当接するので、閉位置における可動片の位置精度を容易に出すことができる。従って、開閉式文字板の視認性が向上する。
【０００７】
また、上記構成において、前記可動片は、前記固定片の周囲に配置された複数の可動片を含み、前記固定片は、前記閉位置における前記複数の可動片同士を隔てるように形成されている、構成を採用できる。
この構成により、閉位置において可動片同士が当接することはないので、閉位置における各可動片の位置精度が維持される。
【０００８】
また、上記構成において、前記可動片は、前記固定片との当接によるくさび作用により前記閉位置に維持される、構成を採用できる。
この構成により、外部からの衝撃などによって閉位置に位置付けられた可動片の位置がずれることを防止できる。
【０００９】
また、上記構成において、前記閉位置において対向する前記可動片及び固定片のそれぞれの縁部は、前記くさび作用を前記可動片に及ぼすべく一部分で当接し、前記くさび作用が強くなりすぎることを防止すべく他の部分で離間するように形成されている、構成を採用できる。
この構成により、閉位置における可動片へのくさび作用が強くなりすぎることを防止し、可動片が閉位置から開位置にスムーズに駆動することができる。
【００１０】
また、上記構成において、前記固定片は、所定位置から放射状に伸びた複数の枝部を含み、前記可動片は、隣接する２つの前記枝部の間へと挿入されるようにして前記開位置から閉位置へと位置付けられる、構成を採用できる。
この構成により、可動片は、閉位置において２つの枝部に挟まれるので、可動片に対して閉位置でのくさび作用を及ぼすことが容易となる。
【発明の効果】
【００１１】
本発明によれば、開閉式文字板の視認性が向上したからくり時計を提供できる。
【発明を実施するための最良の形態】
【００１２】
以下、本発明の実施の形態に係るからくり時計について図面を参照して説明する。
図１乃至図４は、本発明に係るからくり時計の一実施形態を示すものであり、図１はその正面図、図２は後述する可動片が開動して、装飾体の一部が露出した状態を示す正面図、図３は、開動した可動片が９０°自転した状態を示す正面図、図４は、開動した可動分割片が１８０°自転した状態を示す正面図である。また、図５は、図１のＡ−Ａ断面図である。尚、図５については、一部の構成部品を省略している。
【００１３】
本実施例に係るからくり時計は、筐体１０、指針２０、第１固定片３０ａ〜３０ｃ、第２固定片４０、可動片５０ａ〜５０ｃ、背景板６０等から構成される。
筐体１０は、本実施例に係るからくり時計の外側の輪郭を画定する。尚、筐体１０の前方にはガラスが固定されている。
指針２０は、現在時刻を示す時針及び分針から構成される。指針２０は、軸部２１によって回転する。また、図５に示すように、軸部２１は、ムーブメント２００によって駆動される。
【００１４】
本実施例に係るからくり時計の開閉式の文字板は、第１固定片３０ａ〜３０ｃ、第２固定片４０及び可動片５０ａ〜５０ｃから構成される。
第２固定片４０は、円形に形成され文字板全体の中央部に固定されている。
第１固定片３０ａ〜３０ｃは、第２固定片４０から放射状に伸びた枝部として機能し、均等に略１２０°間隔を有して固定されている。また、第１固定片３０ａ〜３０ｃは、第２固定片４０に近い側から、第２固定片４０の径方向外側の中腹までが細く形成され、中腹から更に外側にかけて末広がり状に形成されている。第１固定片３０ａ〜３０ｃの、末広がり状に形成された部分の最も外側の部分が、文字板全体の輪郭の一部を構成する。
【００１５】
可動片５０ａ〜５０ｃは、略扇状に形成され、第２固定片４０を中心として放射状に移動自在に支持されている。また、可動片５０ａ〜５０ｃは、第２固定片４０から離間して所定位置で自転するように形成されている。可動片５０ａ〜５０ｃが、第２固定片４０から離間することにより、可動片５０ａ〜５０ｃの背後に配置されている、装飾板６１及び回転装飾板６２が露出される。このように可動片５０ａ〜５０ｃの開閉動作により、装飾板６１及び回転装飾板６２が露出、隠蔽される。
【００１６】
背景板６０は、前述した文字板よりも背後に配置されており、装飾が施されている。
回転装飾板６２は、第２固定片４０と同心状に配置され、第２固定片４０よりも背面側に配置されている。また、回転装飾板６２は、回動自在に設けられている。
尚、図５には、可動片５０ｂを駆動させるための駆動機構１５０ｂについてのみ図示してある。また、図１乃至図４は、文字板に印刷されている数字については省略している。
【００１７】
次に、本実施例に係るからくり時計の動作について説明する。
図１に示すように、通常時は、可動片５０ａ〜５０ｃは閉位置に位置付けられており、装飾板６１及び回転装飾板６２は露出されない。
所定時刻になると、図２に示すように、可動片５０ａ〜５０ｃは、それぞれ第２固定片４０を中心として、軸部２１の中心を原点とし、軸部２１に鉛直な平面上で放射状に移動して、第１固定片３０ａ〜３０ｃ及び第２固定片４０から分離する。詳細には、上記平面上で可動片５０ａは右上方向に、可動片５０ｂは下方向に、可動片５０ｃは左上方向に直線上に移動する。これにより、可動片５０ａ〜５０ｃは、それぞれ開位置にまで移動する。
【００１８】
可動片５０ａ〜５０ｃが開位置まで移動すると、その背後に収納されている装飾板６１及び回転装飾板６２の一部が露出される。より詳細には、可動片５０ａ〜５０ｃのそれぞれが放射状に開動することにより、第１固定片３０ａ〜３０ｃ及び第２固定片４０と、可動片５０ａ〜５０ｃとの間から装飾板６１及び回転装飾板６２の一部が露出する。回転装飾板６２は、可動片５０ａ〜５０ｃが駆動すると同時に回転を始める。
【００１９】
次に、開位置まで開動した可動片５０ａ〜５０ｃは、開位置において時計方向に自転を開始する。図３に示すように、可動片５０ａ〜５０ｃが時計方向に９０°自転をする。これにより、装飾板６１及び回転装飾板６２の露出状態が大幅に変更される。
【００２０】
次に、図４に示すように、可動片５０ａ〜５０ｃが開動されて時計方向に１８０°自転する。可動片５０ａ〜５０ｃは、互いに異なる方向を向くように保持される。また、装飾板６１及び回転装飾板６２の大部分が露出される。
以上のように、可動片５０ａ〜５０ｃの自転に応じて、装飾板６１及び回転装飾板６２の露出状態が変化する。
【００２１】
また、可動片５０ａ〜５０ｃが閉じる際には、可動片５０ａ〜５０ｃはそれぞれ図４に示した状態から反時計方向に自転して、図３、図２に示した状態へと移行する。そして図２に示した状態から、可動片５０ａ〜５０ｃは、第２固定板４０の中心に向かって移動して、図１に示した状態へと移行する。文字板が閉じられる際には、可動片５０ａは、第２固定片４０、第１固定片３０ａ、３０ｂに、可動片５０ｂは、第２固定片４０、第１固定片３０ｂ、３０ｃに、可動片５０ｃは、第２固定片４０、第１固定片３０ｃ、３０ａに当接して閉位置に位置付けられる。
【００２２】
このように、可動片５０ａ〜５０ｃは、第１固定片３０ａ〜３０ｃ、第２固定片４０に当接して閉位置に位置付けられる。この構成により、閉位置における可動片５０ａ〜５０ｃの位置精度を容易に出すことができる。即ち、可動片同士が当接して閉位置に位置付けられる場合よりも、固定片に当接して閉位置に位置付けられる場合の方が、可動片の位置精度を出すことができる。
【００２３】
また、可動片と固定片とは当接するので、閉位置における可動片と固定片との境界をできるだけ目立たなくすることができ、開閉文字板の視認性が向上する。
また、第１固定片３０ａ〜３０ｃ及び第２固定片４０は、可動片５０ａ〜５０ｃをそれぞれ隔てるように形成されているので、閉位置で可動片５０ａ〜５０ｃ同士が当接することはない。
【００２４】
次に、可動片を駆動させるための駆動機構について説明する。
図５に示すように、からくり時計の下方の背面側には、モータブロック１００が配置されている。モータブロック１００は、可動片５０ａ〜５０ｃの駆動源である。モータブロック１００の出力軸には、ピニオンギア１０１が圧入されている。ピニオンギア１０１は、駆動機構１５０ｂに設けられた、回転体１５１ｂと噛合する。尚、図５には図示していないが、可動片５０ａ、５０ｃを駆動させるための駆動機構が、駆動機構１５０ｂと同様に設けられている。
【００２５】
駆動機構１５０ｂは、回転体１５１ｂの回転により、可動片５０ｂを、直線方向に移動させ、所定位置で自転するように駆動させる。
回転体１５１ｂは、からくり時計の背面の略中央部に配置されたアイドラギア１１０と噛合する。また、アイドラギア１１０は、可動片５０ａ、５０ｃを駆動させるためのそれぞれの駆動機構に設けられた回転体と噛合する。これにより、モータブロック１００からの動力が、駆動機構１５０ｂを介して、アイドラギア１１０に伝達され、そしてアイドラギア１１０の駆動が他の駆動機構に伝達される。以上により、モータブロック１００の動力によって、可動片５０ａ〜５０ｃが駆動する。
【００２６】
装飾板用ギア１６０は、回転装飾板６２の背後に配置されており、その外周部にはギアが形成されている。また、図５には図示しないが、回転装飾板６２を駆動するための駆動源を有しており、この駆動源が、不図示の歯車を介して、装飾板用ギア１６０へと駆動力が伝達される。
第１固定片３０ａの背後には、文字板に対して略垂直方向の前面側に向けて突出した固定ピン１３０ａが複数設けられており、第１固定片３０ａの背面部と固定ピン１３０ａとが固定されている。これにより第１固定片３０ａは、固定されている。尚、３０ｂ、３０ｃについても同様に構成されている。
【００２７】
次に、可動片と第１固定片とについて詳細に説明する。
図６は、可動片についての説明図であり、可動片５０ａを例として説明する。尚、図６（ａ）は、第１固定片３０ａの正面図であり、図６（ｂ）は、第１固定片３０ａの一分部の拡大図である。
図７は、第２固定片の説明図であり、第１固定片３０ａを例として説明する。尚、図７（ａ）は、第１固定片３０ａの斜視図であり、図７（ｂ）は、第１固定片３０ａの正面図である。
【００２８】
図６に示すように、可動片５０ａは、閉位置において文字板全体の輪郭の一部を構成する縁部５５ａと、閉位置において第１固定片３０ａ、３０ｂとそれぞれ対向する縁部５１ａａ、５３ａａ、及び縁部５１ａｂ、５３ａｂと、第２固定片４０と当接する縁部５６ａとを有している。縁部５１ａａ、５１ａｂは、それぞれ縁部５３ａａ、５３ａｂよりも、縁部５５ａに近い側に形成されている。また、縁部５３ａａ、５３ａｂは、それぞれ縁部５１ａａ、５１ａｂから急角度で縁部５６ａに向けて連続している。
また、縁部５３ａａ、５３ａｂの角度差は、第１固定片３０ａ、３０ｂの角度差に対応するように、略１２０°である。
尚、縁部５６ａは、閉位置において、第２固定片４０の背面側に形成された溝部に挟み込まれ、縁部５６ａは露出されない。
【００２９】
また、図７に示すように、第１固定片３０ａは、末広がり部３４ａ、幅狭部３５ａを有している。末広がり部３４ａは、第２固定片４０側から離れた位置に形成され、幅狭部３５ａは、第２固定片４０により近い位置に形成されている。また、末広がり部３４ａの背面には、凹部３９ａが３箇所形成されている。凹部３９ａは、図５において示した固定ピン１３０ａに固定するためのものである。また、幅狭部３５ａの第２固定片４０側の先端部には、固定用孔部３８ａが形成されている。
また、第１固定片３０ａは、末広がり部３４ａの縁部３１ａａ、３２ａｃと、幅狭部３５ａの縁部３３ａａ、３３ａｃとを有している。縁部３１ａａ、３１ａｃから、幅狭部３５ａの先端部側に向けてそれぞれ縁部３３ａａ、３３ａｃへと連続する。
【００３０】
縁部５１ａａは、閉位置において、縁部３１ａａと対向する。縁部５３ａａは、閉位置において、縁部３３ａａと対向する。尚、縁部５１ａｂ、５３ａｂは、同様に、閉位置において３０ｂの末広がり部の縁部及び幅狭部の縁部と対向する。
【００３１】
縁部５１ａａ、５１ａｂには、それぞれ係合片５２ａａ、５２ａｂが形成されている。係合片５２ａａは、閉位置において、末広がり部３４ａの背面に形成された凹部（不図示）と係合する。尚、係合片５２ａｂは、同様に、３０ｂの末広がり部の背面に形成された凹部（不図示）と係合する。
【００３２】
また、縁部５３ａａ、５３ａｂには、図６（ｂ）に示すように、それぞれ当接片５４ａａ、５４ａｂが形成されている。当接片５４ａａ、５４ａｂは、微小な突起状に形成されており、それぞれの端面は、縁部５３ａａ、５３ａｂの端面と略平行に形成されている。従って、当接片５４ａａの端面と平行な面と、当接片５４ａｂの端面と平行な面との角度は、略１２０°に設定されている。
可動片５０ａは、第１固定片３０ａ、３０ｂの間に、押し込まれるように移動して、開位置から閉位置へと位置付けられる。この際に、可動片５０ａは、当接片５４ａａが、縁部３３ａａの一部と当接して閉位置に位置付けられる。詳細には、当接片５４ａａは、図７（ｂ）に示した破線で囲った部分ＡＡ１と当接する。尚、部分ＡＣ１は、閉位置において可動片５０ｃに形成された当接部と当接する。
【００３３】
このように、当接片５４ａａの端面と、当接片５４ａｂの端面とは、略１２０°の角度を有し、また、当接片５４ａａ、５４ａｂにそれぞれ当接する第１固定片３０ａ、３０ｂについても略１２０°の角度間隔を有して配置されているので、可動片５０ａは、第１固定片３０ａ、３０ｂとの当接によるくさび作用により閉位置に位置付けられることになる。この構成により、外部からの衝撃などによって閉位置に位置付けられた可動片５０ａの位置がずれることを防止できる。尚、可動片５０ｂ、５０ｃについても同様の構成である。これにより、閉位置における可動片５０ａ〜５０ｃの位置精度が維持される。
【００３４】
図８は、閉位置に位置付けられた際の、第１固定片３０ａ、可動片５０ａ、５０ｃの拡大図である。部分ＡＡ１、ＡＣ１で、第１固定片３０ａは、それぞれ当接片５４ａａ、５４ａｃに当接している。しかし、部分ＡＡ１よりも、第２固定片４０に近い位置である、部分ＡＡ２では、縁部３３ａａは、縁部５３ａａから離間している。部分ＡＣ２についても同様である。また、第１固定片３０ｂ、３０ｃについても同様である。
【００３５】
このように構成することにより、可動片５０ａの、縁部５３ａａ、５３ａｂの大部分でそれぞれ第１固定片３０ａ、３０ｂと当接する場合と比較し、可動片５０ａの閉位置から開位置への移動が容易となる。即ち、可動片５０ａの場合、当接片５４ａａ、当接片５４ａｂでのみ、それぞれ第１固定片３０ａ、３０ｂに当接するため、上述したくさび作用が強くなりすぎることを防止できる。これにより、可動片５０ａは、開位置から閉位置へとスムーズに移行することができる。
【００３６】
以上本発明の好ましい一実施形態について詳述したが、本発明は係る特定の実施形態に限定されるものではなく、特許請求の範囲に記載された本発明の要旨の範囲内において、種々の変形・変更が可能である。
上記実施例において、可動片は、３つに構成されているが、このような構成に限定されず、例えば、４つ以上に分割されたものであってもよい。
【図面の簡単な説明】
【００３７】
【図１】本発明に係るからくり時計の正面図である。
【図２】可動片が開動して、装飾体の一部が露出した状態を示す正面図である。
【図３】開動した可動片が９０°自転した状態を示す正面図である。
【図４】開動した可動片が１８０°自転した状態を示す正面図である。
【図５】図１のＡ−Ａ断面図である。
【図６】可動片についての説明図であり、図６（ａ）は、可動片の正面図であり、図６（ｂ）は、可動片の一分部の拡大図である。
【図７】第２固定片の説明図であり、図７（ａ）は、第２固定片の斜視図であり、図７（ｂ）は、第２固定片の正面図である。
【図８】閉位置に位置付けられた際の、可動片及び第２固定片の説明図である。
【符号の説明】
【００３８】
１０                                              筐体
２０                                              指針
２１                                              軸部
３０ａ〜３０ｃ                                    第１固定片
３４ａ                                            末広がり部
３５ａ                                            幅狭部
５２ａａ、５２ａｂ                                係合片
５４ａａ、５４ａｂ                                当接片
４０                                              第２固定片
５０ａ〜５０ｃ                                    可動片
６０                                              背景板
６１                                              装飾板
６２                                              回転装飾板
１００                                            モータブロック
１０１                                            ピニオンギア
１１０                                            アイドラギア
１３０ａ                                          固定用ピン
１５０ｂ                                          駆動機構
１５１ｂ                                          回転体
２００                                            ムーブメント
【図１】
2008249643.tif 000003
【図２】
2008249643.tif 000004
【図３】
2008249643.tif 000005
【図４】
2008249643.tif 000006
【図５】
2008249643.tif 000007
【図６】
2008249643.tif 000008
【図７】
2008249643.tif 000009
【図８】
2008249643.tif 000010